(57)【特許請求の範囲】
【請求項１】
濾過タンク等の清浄化処理用機器を清浄化する湯を浴槽から吸い込む吸湯管と清浄化の終わった湯を浴槽に噴出する噴湯管とで浴槽に連結し循環ポンプにより強制循環させる浴槽湯の清浄化管路を形成し、熱交換器を往き管及び戻り管を介して追焚する湯を浴槽から吸入する入湯管と追焚の終わった湯を浴槽に吐出する出湯管とで浴槽に連結し追焚ポンプにより強制循環させる浴槽湯の追焚管路を形成し、この追焚管路に給水を熱交換器で加熱して給湯する給湯管路を浴槽内の水位を検知する圧力センサを配備した連結管で連結し浴槽内に水位に応じて自動的に湯を張れる自動湯張り管路を形成し、浴槽には下方位置に前記吸湯管及び入湯管が連結する吸湯口ユニツトを、上方位置に噴湯管及び出湯管が接続する噴湯口ユニツトを配備し、出湯管に逆流を防止する逆止弁を配備したことを特徴とする浴槽湯の清浄化装置。
【発明の詳細な説明】
【０００１】
【産業上の利用分野】
本発明は風呂装置に係り、特に浴槽内の湯を強制的に循環させつつ濾過、殺菌等の清浄化処理すると同時に入浴温度に保温し、浴槽湯を絶えず清浄かつ適温保ち２４時間何時でも好みの時に入浴できるようにしたいわゆる２４時間風呂装置に関するものである。
【０００２】
【従来の技術】
最近、浴槽内の湯を絶えず清浄かつ適温に保ち、２４時間いつでも快適に入浴でき、しかも水の節約にもなる、浴槽湯の清浄化装置、すなわち２４時間風呂の利用が盛んになつてきた。
【０００３】
このような浴槽湯の清浄化装置の１例は図６に示す通りであり、１が浴槽、２が湯、３が浴槽１内の湯２を汲み上げるための吸湯管、４が吸湯管３で汲み上げられた湯を清浄化処理するための機器類をまとめて配備した装置本体、９が装置本体４で処理された湯を浴槽１内に再び噴出させるための噴湯管である。
【０００４】
装置本体４には、浴槽湯中の汚れを取り除くため、活性炭、活性石、多孔質セラミツクボール等の各種の粒状濾材や繊維状フイルタが単独或いは複合して装填された濾過タンク５、湯を強制循環するための循環ポンプ６、湯を適温に保つための保温用の電気ヒータ７、湯をオゾン殺菌するためのオゾン発生装置としてのオゾナイザ８等の清浄化処理機器が配備されている。
【０００５】
１０は大きな汚れを装置本体４に汲み上げる前に予め取り除くため吸湯管３の先端に取り付けたプレフイルタであり、１１は清浄化処理の終わった湯を流速の早いジエツト流として浴槽１内に噴出する吸気管１２がエジエクタ部に接続するジエツトノズルである。
【０００６】
ジエツトノズル１１のエジエクタ部に接続する吸気管１２の先端には管路を開閉するための電磁弁１３が設けられ、途中にオゾナイザ８が配備されていて、電磁弁１３を開くとジエツトノズル１１の吸気力で吸気管１２から空気が吸い込まれ、この空気がエジエクタ部２４で湯に混入されジエツトノズル１１から湯と共に空気が浴槽１内に噴出して泡風呂となり、さらにオゾナイザ８を作動させると吸い込まれた空気がオゾン化されて浴槽１内に噴出され湯２がオゾン殺菌される。
【０００７】
【発明が解決しようとする課題】
しかしながら、以上のように構成される装置では湯の加熱を電気ヒータで行っているので、まずランニングコストが高くなり、またこの電気ヒータの消費電力は８００Ｗ程度のと大きいので、清浄化装置を浴室に配備したために配線容量の関係で他の電気機器を利用するのが不便になり、さらに湯の加熱速度が遅いので、湯の交換をした際や装置の運転を長時間止めていたために湯温が大幅に下がってしまった際に湯を入浴温度まで加熱するのに非常に長い時間が掛かってしまう等の問題があった。
【０００８】
このため最近は、図２及び図３に示すように、清浄化管路と燃焼式の追焚管路とを直列或いは並列に接続して浴槽湯の加熱を電気に代えてガス或いは灯油で行う浴槽湯の清浄化装置も開発され従来の電気加熱の欠点は解消されるようになったが、燃焼式の追焚管路を清浄化管路に接続したための新たな欠点が生じた。
【０００９】
図２には追焚管路と清浄化管路とを直列に接続した例が示されており、１４が従来例と同一の構成要素は同一の符号で示す清浄化装置であり、この清浄化装置１４には、前記した従来例の清浄化装置からヒータを除いて循環ポンプ６及び濾過タンク５を配備した管路の構成となった清浄化管路１５が配備され、さらにこの清浄化管路１５の負圧部であるジエツトノズル１１に接続する吸気管１２の途中にオゾナイザ８も配備されている。
【００１０】
１６が灯油或いはガスを燃料とする燃焼式の追焚装置であり、この追焚装置１６には浴槽１内の湯２を適温に追焚するための追焚管路１７の他に、水道水を加熱してシヤワ等に給湯するための、水道に接続する給水管２５、往き管２６、熱交換器２７、戻り管２８及びシヤワ、カラン等に接続する給湯管２９が直列に連結された給湯管路２４も配備されている。
【００１１】
追焚管路１７は、追焚用の湯を吸入するための入湯管１８と、追焚された湯を吐出するための出湯管２３とが往き管１９及び戻り管２２を介して熱交換器２１に接続し、追焚ポンプ２０が往き管１９の途中に配備されたた管路であり、入湯管１８と出湯管２３が共に清浄化管路１５の噴湯管９に接続され、追焚管路１７を清浄化管路１５に直列に接続した状態にする。
【００１２】
そこで、浴槽１内の湯２は、循環ポンプ６の作動により吸湯口としてのプレフイルタ１０から吸湯管３に吸入され、清浄化管路１５で清浄化処理され噴湯管９にまず噴出され、続いて追焚ポンプ２０の作動により入湯管１８から追焚管路１７に吸入されて追焚された後出湯管２３から再び噴湯管９に吐出され、噴湯口としてのジエツトノズル１１から清浄かつ適温にされた湯が浴槽１に再び噴出する。
【００１３】
このように清浄化管路１５に追焚管路１７を直列に接続すると、清浄化管路１５の濾過タンク５が目詰まりすると追焚管路１７を循環する湯の量が減って湯の異常加熱が起き、ジエツトノズル１１から浴槽１に熱湯が噴出し入浴者を火傷させる危険が生じ、さらに循環ポンプ６と追焚ポンプ２０とが同時に作動しているので湯が逆流したりして円滑に循環しなくなる欠点がある。
【００１４】
このような欠点を解消するため、図３に示すように、追焚管路１７の清浄化管路１５への接続を、入湯管１８は吸湯管３に接続し、出湯管２３は噴湯管９に接続し、並列接続とすることも考えられる。
【００１５】
このように並列接続した場合でも、循環ポンプ６と追焚ポンプ２０とを同時に作動させると浴槽１から吸湯管３に吸入された湯が清浄化管路１５方向と追焚管路１７方向との両方に吸引されてしまうので、追焚を行う際には循環ポンプの作動を停止し、清浄化を中止しなければならなくなる欠点が生じる。
【００１６】
前記したように追焚管路１７を清浄化管路１５に直接接続すると並列接続であっても清浄化と追焚とを同時にできないので、図４或いは図５に示すように、浴槽１に対して湯の吸い込み及び排出する口を清浄化管路１５と追焚管路１７とで分ける方法が考えられる。
【００１７】
すなわち、図４に示すように、浴槽１に対し、従来と同様に清浄化管路１５の吸湯口及び排湯口としてのプレフイルタ１０及びジエツトノズル１１を設ける同時に、追焚管路１７の入湯口と出湯口とを一体にした入出湯口ユニツト３０を別に設けることがまず考えられる。
【００１８】
しかしながらこの例の場合には、浴槽１の壁に３つの穴を明けなければならなくなり、装置の取り付け工事が大変になる欠点が生じる。
【００１９】
図５に示すのは、浴槽１に対して、図４の場合と同様に追焚管路１７の入湯口と出湯口とを一体にした入出湯口ユニツト３０を配備すると同時に、清浄化管路１５の吸湯口及び排湯口としてのプレフイルタ１０及びジエツトノズル１１を一体とした吸噴湯ユニツト３１を配備した例である。
【００２０】
この例の場合には、装置の取り付けのためには浴槽に２つの穴を明ければ済むが、清浄化装置の大きな特徴である、清浄化を効果的に行えると同時に清浄化の終わった湯をジエツト噴流として浴槽に噴出して泡風呂を楽しむことが十分できなくなってしまう。
【００２１】
吸噴湯ユニツト３１では吸湯口と噴湯口の位置が同一になってしまうので、この吸噴湯ユニツト３１を浴槽の下方位置に配備すれば、吸湯口が下にあるので浴槽の底に溜まった汚れを良く吸入して効果的な清浄化ができるが、ジエツト流の噴出口の位置が低いのでジエツ流は入浴者の上半身の方には当たらず泡風呂を十分楽しめなくなってしまう。
【００２２】
勿論、吸噴湯ユニツト３１を逆に上方位置に配備すれば、ジエツト流が入浴者の上半身の方に良く当たって泡風呂は十分楽しめるようになるが、浴槽の底に溜まった汚れを良く吸入できないので、清浄化を効果的に行えなくなってしまう。
【００２３】
本発明は前記したような従来技術の欠点を解消し、浴槽に穴を２つ明ける程度で装置を容易に取り付けられ、しかも清浄化と追焚とが同時にでき、清浄化する湯を浴槽の下方位置から吸い込むと同時に清浄化の終わった湯を浴槽の上方位置からジエツト流として噴出できる浴槽湯の清浄化装置を提供することを目的とする。
【００２４】
また本発明は、前記した目的を達成した装置においても、浴槽の水位に応じて給湯管路から追焚管路を経て自動的に所定量の湯を浴槽に張れる自動湯張り機能をも付与することを目的とする。
【００２５】
【課題を解決するための手段】
すなわち本発明は、濾過タンク等の清浄化処理用機器を清浄化する湯を浴槽から吸い込む吸湯管と清浄化の終わった湯を浴槽に噴出する噴湯管とで浴槽に連結し循環ポンプにより強制循環させる浴槽湯の清浄化管路を形成し、熱交換器を往き管及び戻り管を介して追焚する湯を浴槽から吸入する入湯管と追焚の終わった湯を浴槽に吐出する出湯管とで浴槽に連結し追焚ポンプにより強制循環させる浴槽湯の追焚管路を形成し、この追焚管路に給水を熱交換器で加熱して給湯する給湯管路を浴槽内の水位を検知する圧力センサを配備した連結管で連結し浴槽内に水位に応じて自動的に湯を張れる自動湯張り管路を形成し、浴槽には下方位置に前記吸湯管及び入湯管が連結する吸湯口ユニツトを、上方位置に噴湯管及び出湯管が接続する噴湯口ユニツトを配備し、出湯管に逆流を防止する逆止弁を配備したことを特徴とする浴槽湯の清浄化装置である。
【００２６】
【発明の作用】
本発明は以上のように構成され、清浄化管路と追焚管路とが直接接続していないので清浄化と追焚とを同時に行え、また浴槽に設けるのは吸湯口ユニツトと噴湯口ユニツトであるので、浴槽に２つの穴を明ければ装置の取り付けができる。
【００２７】
また清浄化管路は、吸湯管が浴槽の下方の吸湯口ユニツトに接続しているので、浴槽の底に溜まった汚れも良く吸い込んで効果的な清浄化が行え、噴湯管が浴槽の上方の噴湯口ユニツトに接続しているので、清浄化の終わった湯を入浴者の上半身にジエツト流として直接当てられ泡風呂も楽しめる。
【００２８】
さらに追焚管路と給湯管路とを圧力センサを配備した連結管で連結しているので、圧力センサで浴槽の水位を検知しつつ給湯管路から追焚管路を経て浴槽に自動的に湯張りをする自動湯張り管路を形成できる。
【００２９】
その上追焚管路の出湯管に逆止弁が配備されているので、追焚管路の入湯管が浴槽の下方の吸湯口ユニツトに接続され、出湯管が上方の噴湯口ユニツトに接続され入湯口と出湯口とにヘツド差があっても、自動湯張りの際に０点検知のために給湯が一時的に止まっても追焚管路内の湯が抜けてしまうことはない。
【００３０】
この結果、連結管に配備された圧力センサにより入湯口の水位を０点とし、所定の水位の圧力を正確に検知して浴槽への自動的な湯張りを正確に行えるようになる。
【００３１】
【実施例】
次に、本発明の実施例について図１の配管図に基づいて説明する。
【００３２】
図１においては従来例と同一の構成要素には同一の符号を付してあるのでこれ等の構成要素についての説明は省略するが、追焚装置１６は、追焚管路１７の往き管１９と給湯管路２４の戻り管２８とが連結管３３で連結され、給湯管路２４で加熱した水道水を追焚管路１７を経て浴槽１に注入して湯張りをする自動湯張り管路３２を形成している。
【００３３】
自動湯張り管路３２を形成するための連結管３３には、切換弁３４と圧力センサ３５とが配備されており、切換弁３４は、給湯管路２４で加熱され湯を戻り管２８からシヤワ、カラン等に給湯するために給湯管２９方向に送ったり、或いは浴槽１に湯張りをするために連結管３３方向に送ったりするための管路の切り換えをする弁である。
【００３４】
圧力センサ３５は、浴槽１の吸湯口の位置である基準水位Ｈ１まで湯張りされた時点の圧力を０点としてそれ以上の水位に湯張りされた水位の圧力を検知して行き、所定の水位Ｈ２まで湯張りされたのを自動的に検知するセンサである。
【００３５】
追焚管路１７の往き管１９には追焚ポンプ２０の他に水流センサ３６が配備され、この水流センサ３６は、追焚ポンプ２０の作動にともなって追焚管路１７に浴槽１から湯２が吸入されたか否かを検知し、燃焼バーナ３８を着火したり或いは消火したりし、浴槽１への自動湯張りの際に基準水位Ｈ１まで湯張りがされたか否かを検知するセンサである。
【００３６】
さらに追焚管路１７の出湯管２３には逆止弁３７が配備されており、この逆止弁３７は、後にこの理由を詳細に説明するが、浴槽１への自動湯張りの際に、自動湯張り管路３２から湯が抜けてしまって吸湯口の位置である基準水位Ｈ１まで湯張りされた時点での圧力センサ３５による圧力の検知できなくて０点調整ができなくなってしまうのを防ぐ。
【００３７】
また給湯管路２４の往き管２６にも水流センサ３９が配備されていて、給湯管路２４に給水管２５を介して水道から給水されたか否かを判別し燃焼バーナ４０を着火したり消火したりする。
【００３８】
浴槽１には下方位置に吸湯口ユニツト４１がが配備され、上方位置には噴湯口ユニツト４２が配備されており、吸湯口ユニツト４１には、清浄化管路１５の吸湯管３及び追焚管路１７の入湯管１８が個々に接続し、噴湯口ユニツト４２には、清浄化管路１５の噴湯管８がジエツトノズルに吸気管１２と共に接続し、又追焚管路１７の出湯管２３が別途に接続している。
【００３９】
以上のような配管における自動湯張りについて説明すると、自動湯張りの際には、まず浴槽１に吸湯口の位置すなわち基準水位Ｈ１まで湯張りした時点で圧力センサ３５が検知する圧力を０とする０点調整を行い、続いて湯張りが続けられて行って水位が基準水位Ｈ１以上に上がった分を圧力センサ３５の圧力の上昇量により検知して行き、所定の水位であるＨ２の水位に相当する圧力の上昇量になったなら湯張りを止めれば、所定の水位まで自動的に湯張りできる。
【００４０】
このような原理に基づいて自動湯張りをする際に、浴槽１に吸湯口の位置である基準水位Ｈ１まで湯張りされたことを検知するには、湯の水位が吸湯口の位置にまで達し、この時点で追焚ポンプ２０が作動されると湯が入湯管１８に吸い込まれて追焚管路１７に流通し始め、これを水流センサ３６により検知すれば良い。
【００４１】
そこで自動湯張りを開始した際には、まず浴槽に基準水位Ｈ１まで湯張りをさせ圧力センサ３５の０点調整をするために、所定の給湯を行った後一旦給湯を止め、その都度追焚ポンプ２０を作動させて水流センサ３６が水流を検知するか否かを判別することを水位が基準水位Ｈ１に達したことを水流センサ３６が水流を検知するまで繰り返して行う必要がある。
【００４２】
ところが自動湯張り管路３２を構成する追焚管路１７の入湯管１８と出湯管２３とはヘツド差のある吸湯管ユニツト４１と噴湯管ユニツト４２に各々接続している。
【００４３】
こため仮に追焚管路１７の出湯管２３に逆止弁３７が配備されていないとすると、浴槽に湯張りのために自動湯張り管路３２を介して給湯を行っている際には湯は入湯管１８と出湯管２３とから浴槽に排出され自動湯張り管路３２に湯が充満しているものの、前記したように基準水位Ｈ１に達したか否かを検知するために一旦給湯を停止すると、自動湯張り管路３２に充満していた湯は入湯管１８から浴槽１に排出されて抜けてしまう。
【００４４】
このようにな状態は浴槽１に基準水位Ｈ１まで湯張りされ水流センサ３６がこれを検知した時点でも生じるので、この時点で自動湯張り管路３２の湯が抜けていると当然のことながら圧力センサ３５により浴槽１内の水位に応じた圧力を検知できないので、基準水位Ｈ１まで湯張りされ時点を０とする圧力センサ３５の調整はできない。
【００４５】
圧力センサ３５を基準水位Ｈ１まで湯張りされ時点を０とし調整出来なければ、当然のことながら所定水位Ｈ２まで湯張りができたことも検知出来ないので、自動湯張りはできない。
【００４６】
ところが出湯管２３に逆止弁３７を配備しておくと、自動湯張りの際に給湯を一旦停止しても出湯管２３の逆流が防止出来るので自動湯張り管路３２に充満している湯が入湯管１８から浴槽１に排出されて抜けてしまうことはない。
【００４７】
このため浴槽１に基準水位Ｈ１まで湯張りされ水流センサ３６がこれを検知した時点の圧力を０としての圧力センサ３５の調整ができ、当然のことながら所定の水位Ｈ２まで湯張りされたことも圧力センサ３５により検知し、自動的な湯張りができる。
【００４８】
また前記した配管では浴槽１には吸湯口ユニツト４１と排湯口ユニツト４２とを取り付けるための２つの穴を設ければ装置が取り付けられ工事が簡単になる。
【００４９】
さらに、清浄化管路１５の吸湯管３は浴槽１の下方位置の吸湯口ユニツト４１に接続されているので底のほうに溜まった汚れを良く吸入して効果的に浴槽湯を清浄化でき、噴湯管９が上方位置の噴湯口ユニツト４２に接続しているので清浄化の終わった湯をジエツト流として入浴者の上半身に当てながら浴槽１に再び噴出出来泡風呂も楽しめる。
【００５０】
【発明の効果】
本発明は以上のような構成及び作用のものであり、濾材が目詰まりしても異常加熱をし熱湯が浴槽に噴出するのを心配することなく安心して燃焼式の追焚装置で追焚すると同時に清浄化も行える浴槽湯の清浄化装置を提供する。
【００５１】
また本発明の浴槽湯の清浄化装置では、浴槽に湯の吸排のために余り多くの穴を明けなくても良いので取り付け工事が簡単であり、底に溜まった汚れも吸湯管から良く吸入されて効果的にゆの清浄化ができ、しかも清浄化の終わった湯は浴槽の上部でジエツト流として噴出し泡風呂も楽しめる。
【００５２】
さらに本発明の浴槽湯の清浄化装置では、追焚だけでなく、浴槽へ所定の水位まで自動的に湯張りすることも精度良くできる。
【図面の簡単な説明】
【図１】実施例配管図、
【図２】第１従来例配管図、
【図３】第２従来例配管図、
【図４】第３従来例配管図、
【図５】第４従来例配管図、
【図６】第５従来例配管図。
【符号の説明】
１                                    浴槽
２                                    湯
３                                    吸湯管
５                                    濾過タンク
６                                    循環ポンプ
８                                    オゾナイザ
９                                    噴湯管
１４                                    清浄化装置
１５                                    清浄化管路
１６                                      追焚装置
１７                                  追焚管路
１８                                      入湯管
２０                                    追焚ポンプ
２３                                      出湯管
２４                                      給湯管路
３２                                      自動湯張り管路
３５                                      圧力センサ
３７                    逆止弁
４１                                      吸湯口ユニツト
４２                                      排湯口ユニツト
【図１】
0003597604.tif 000002
【図２】
0003597604.tif 000003
【図３】
0003597604.tif 000004
【図４】
0003597604.tif 000005
【図５】
0003597604.tif 000006
【図６】
0003597604.tif 000007